(57)【要約】【課題】撮影光軸の撮影方向と、表示手段の表示方向が揃うような、いわゆる自分撮り撮影の場合でも、被写体の視線が表示手段の表示を見たままで視線をはずした撮影にならない撮影装置を提供する。【解決手段】撮影手段と、撮影状態を表示する表示手段と、実際に撮影に使用する撮影手段の撮影光軸と表示手段との相対位置を複数位置選択可能な撮影装置において、撮影手段と表示手段の相対位置を検出する又は決める手段と、第一の状態とレリーズ動作である第二の状態を検出可能な一つのスイッチを有し、該撮影手段の撮影光軸と該表示手段との相対位置が所定の位置にある場合、第一の状態がスイッチで検出されると、表示手段の表示を変える構成にして、レリーズ操作前に表示手段から被写体の関心を無くすようにした。【選択図】図１
2007116601.tif 000002
【特許請求の範囲】
【請求項１】
撮影手段と、撮影状態を表示する表示手段と、実際に撮影に使用する撮影手段の撮影光軸と表示手段との相対位置を複数位置選択可能な撮影装置において、撮影手段と表示手段の相対位置を検出する又は決める手段と、第一の状態とレリーズ動作である第二の状態を検出可能な一つのスイッチを有し、該撮影手段の撮影光軸と該表示手段との相対位置が所定の位置にある場合、第一の状態がスイッチで検出されると、表示手段の表示を変えることを特徴とする撮影装置。
【請求項２】
請求項１記載の撮影装置において、スイッチは半押し状態で第一の状態、全押し状態で第二の状態を検出することを特徴とする撮影装置。
【請求項３】
請求項１記載の撮影装置において、スイッチは指で触ることで第一の状態、押すことで第二の状態を検出することを特徴とする撮影装置。
【請求項４】
請求項１記載の撮影装置において、第一の状態がスイッチで検出された場合に、第一の状態になる前に表示手段に表示されていた被写体映像に関しての表示を変えることを特徴とする撮影装置。
【請求項５】
請求項４記載の撮影装置において、表示を変えるとは、被写体映像に関する画像情報を表示しないようにすることを特徴とする撮影装置。
【請求項６】
請求項１記載の撮影装置において、撮影手段の撮影光軸と該表示手段との相対位置が所定の位置とは、表示手段の表示方向が被写体方向を向いている位置であることを特徴とする撮影装置。
【請求項７】
請求項１記載の撮影装置において、撮影状態を表示するとは、撮影手段を通じて得た被写体映像情報を表示することを特徴とする撮影装置。
【請求項８】
請求項１記載の撮影装置において、該撮影手段の撮影光軸と該表示手段との相対位置が所定の位置にある場合、撮影光軸から表示手段の最遠部までの間に被写体側へ発光する発光手段があることを特徴とする撮影装置。
【請求項９】
請求項８記載の撮影装置において、第一の状態が検出されて、第二の状態が検出されて撮影を開始されるまでの間に、発光手段が発光している状態があることを特徴とする撮影装置。
【請求項１０】
請求項１ないし９いずれ記載の撮影装置において、測距手段があり、該測距結果情報によって表示手段の表示を変えることを特徴とする撮影装置。
【請求項１１】
請求項１ないし１０いずれ記載の撮影装置において、計時手段を有し、第一の状態を検出後、所定時間後に表示手段の表示とを変えることを特徴とする撮影装置。
【発明の詳細な説明】
【技術分野】
【０００１】
本発明は、被写体側に向けて被写体映像を表示可能な表示手段と、撮影手段を有した撮影装置に関する。
【背景技術】
【０００２】
近年、デジタルビデオ、デジタルカメラ、携帯電話等で、撮影手段を通して得られる撮影前の被写体画像を、撮影被写体側から液晶などの表示手段を通して目視可能にしたものが提案されている。表示手段の表示方向と撮影手段の撮影光軸方向が可変構造になっているものや、表示手段を撮影面側とその裏面側に複数有した構造のものなどある。上記撮影状態は、主に自分撮り撮影など、通常の単一固定式ファインダーでは確認できない被写体となる自分自身の構図やピント状態を、被写体となる自分自身で表示手段を用いて確認しながら撮影できる所に長所がある。
【０００３】
さらに、被写体側を向いている表示手段を用いて、幼児など撮影光軸側に視線を合わせにくい被写体に対して、あらかじめ撮影装置に記憶した動物などの特定画像情報を表示手段に表示して、積極的に表示手段に被写体を向かせる特許文献１などの提案もある。
【特許文献１】特開平１１−０４６３１６号公報
【発明の開示】
【発明が解決しようとする課題】
【０００４】
図２は、可変表示手段が無い撮影装置と、可変表示手段を有する撮影装置の自分撮り時における一般例を示した図である。
【０００５】
図２（ａ）は可変表示手段が無い撮影装置で自分撮りを行っている図であり、被写体となる撮影者は撮影光軸方向に視線が向いているにもかかわらず、全体構図の確認が表示手段でできない。
【０００６】
図２（ｂ）は可変表示手段が無い撮影装置で自分撮りを行った撮影記録画像であり、被写体となる撮影者の視線は撮影光軸方向を向いているが、撮影したい顔が切れてしまっている。
【０００７】
図２（ｃ）は可変表示手段を有する撮影装置で自分撮りを行っている図であり、被写体となる撮影者はレリーズされるまで表示され続ける表示手段を凝視し続けたままで、全体構図に集中している。
【０００８】
図２（ｄ）は可変表示手段を有する撮影装置で自分撮りを行った撮影記録画像であり、被写体となる撮影者の構図は良好であるが、視線は表示手段を見つづけていたために表示手段側に傾いたものになってしまっている。
【０００９】
本来、上記図２（ａ）（ｂ）の構図ずれ問題を解消するために、被写体側へ表示可能な可変表示手段等を撮影装置に設けたのにもかかわらず、表示手段を被写体がいつまでも凝視してしまい、記録される写真の被写体の視線が表示手段側に傾いたものになってしまう新たな問題が発生した。
【００１０】
また、図２（ｃ）のように、自分撮りを行う場合は、撮影装置と被写体の距離が近いため、撮影光軸から離れた表示手段を見る場合に、撮影装置と被写体の距離が遠い場合に比べて撮影光軸と被写体の視線角との相対角度θが余計に大きくなる。すなわち被写体の視線ずれが大きくなる。
【００１１】
また、図２（ｃ）のような回転可変表示手段にすると、被写体側へ表示手段を向けようとする場合、撮影装置そのものを避けた形で表示手段を移動させる必要があり、表示手段が撮影装置そのものから遠い、すなわち撮影光軸からも遠い位置になる。故に撮影光軸と被写体の視線角との相対角度θが余計に大きくなる。すなわち被写体の視線ずれが大きくなる。
【００１２】
また特許文献１の開示のように、積極的に被写体側の視線を表示手段に集めるように特別な表示をさせ続けると、被写体が構図やピント確認終了後に意識して視線を撮影光軸側へ表示手段から戻そうとする妨げになる。特に静止画を撮影する場合や、被写体が撮影装置に近い場合は、被写体の視線が特別な表示に釘つけになり、被写体視線が撮影光軸からはずれた写真を撮る助長を促すことになる。
【００１３】
また、単に被写体側に向けた表示手段上の撮影前被写体映像表示を消すだけでは、本来の目的である構図やピントの確認や変更ができなくなる。
【００１４】
本発明は、以上の点に着目して成されたもので、撮影光軸の撮影方向と、表示手段の表示方向が揃うような、いわゆる自分撮り撮影の場合でも、被写体の視線が表示手段の表示を見たままで視線をはずした撮影にならない撮影装置を提供することを目的にしている。
【課題を解決するための手段】
【００１５】
上記問題点を鑑み、下記本発明の構成を実施することで課題は解決される。
【００１６】
請求項１〜７の構成にすることで、撮影手段の撮影光軸と表示手段とが同じ被写体方向を向いているような特別な状態に限り、第二の状態であるレリーズスイッチ検出前に、表示手段で表示されている被写体映像を第一の状態検出によって消して、被写体の視線を表示手段からはずすことが可能になる。
【００１７】
請求項８〜９の構成にすることで、表示手段から離れた被写体の視線を、表示手段で撮影前の被写体の映像や特別な画像を撮影直前まで表示し続けた場合より、表示手段よりも撮影光軸に近い位置に導くことが可能になる。
【００１８】
請求項１０の構成にすることで、測距結果に従い、撮影光軸と被写体が表示を見る視線との角度に関して問題とならない距離の場合と、問題が起こる距離とで、表示手段の表示を変えることが可能になる。
【００１９】
請求項１１の構成にすることで、第一の状態検出後で一般的に用いられる測距や測光動作開始後、しばらく表示手段で撮影前の被写体状態を表示し続けることが可能になるため、撮影者による構図変更が可能になる。故にＡＦロック撮影やＡＥロック撮影といった実際の測距点や測光点を構図からずらした撮影も可能になる。
【００２０】
なお、さらに説明すれば、本発明の第一の発明について下記のように示す。
【００２１】
（１）撮影手段と、撮影状態を表示する表示手段と、実際に撮影に使用する撮影手段の撮影光軸と表示手段との相対位置を複数位置選択可能な撮影装置において、撮影手段と表示手段の相対位置を検出する又は決める手段と、第一の状態とレリーズ動作である第二の状態を検出可能な一つのスイッチを有し、該撮影手段の撮影光軸と該表示手段との相対位置が所定の位置にある場合、第一の状態がスイッチで検出されると、表示手段の表示を変えることを特徴とする撮影装置。
【発明の効果】
【００２２】
上記のように、本発明を実施することで、撮影手段の撮影方向と表示手段の表示方向が揃うような、被写体が自ら撮影前の構図やピントを確認可能になる状態を検出して、レリーズスイッチ検出前に撮影前の被写体映像を被写体の注意を引かなくする表示に積極的に変化させることで、構図やピントは合ったままで、被写体の視線が表示手段に残ったままの映像を記録することを避けることができるようになる。
【００２３】
また、表示手段よりも撮影光軸に近い既存の発光手段を、表示手段の表示変化後に発光させることで、コストアップさせることなく、また単に表示手段の表示を変化させることで被写体の視線が泳いで撮影光軸からそれるのを未然に防ぐことが可能になる。
【００２４】
また、第一状態検出スイッチをＯＮ／ＯＦＦさせることで、表示手段による撮影前被写体映像を表示ＯＮ／ＯＦＦが容易にできるため、本来の撮影画角やピントの確認に問題はない。
【００２５】
また、第一状態検出スイッチ後、所定時間は表示状態が維持されるため、ＡＦロック、ＡＥロック撮影なども可能な自分撮り撮影が出来る。
【発明を実施するための最良の形態】
【００２６】
以下本発明を実施するための最良の形態を、実施例により詳しく説明する。
【実施例】
【００２７】
図１は本発明第一実施例で用いる、撮影状態を表示する表示手段と、実際に撮影に使用する撮影手段の撮影光軸と表示手段との相対位置を複数位置選択可能な撮影装置であるデジタルカメラの一例である。
【００２８】
図１（ａ）は通常撮影状態の正面斜視図、図１（ｂ）は通常撮影状態の背面斜視図である。１はカメラ本体、２は表示手段で本体に対して回転可能に軸支されており、通常状態においてはカメラ本体内部に収納されて撮影方向と正反対側に向けて表示できるように配置される。また表示手段内部には液晶でできた表示部２ａを有している。３は撮影手段で、撮影レンズ、撮影鏡筒、シャッター、絞り、光電変換素子、モータなどを有しているが本発明では説明を割愛する。４はメインスイッチ、５は第一と第二の状態を検出可能なスイッチであり、例えば半ストローク押しでは第一状態を検出し、全ストローク押しでは第二状態を検出できる。また接触抵抗値変化を読むいわゆるタッチセンサーをスイッチ表面に設けて第一状態検出を行い、スイッチを押し込むことで第二状態を検出するようなスイッチでも構わない。６は測距手段、７は発光手段であるランプである。
【００２９】
図１（ｃ）は表示手段２を被写体側へ完全旋回させた場合の図であり、表示手段２は破線矢印のように手動で旋回し、表示部２ａがカメラ本体１にけられない撮影方向と同じ向きに表示するように保持されている。表示手段２は破線矢印旋回途中でも停止可能である。また表示部２は、回転軸近傍の１ａに鏡筒撮影光軸と表示手段の相対角度検出スイッチを設けており、表示手段が被写体側を向く特別な状態が検出可能になっている。
【００３０】
第一の実施例においては、カメラ本体に固定されている撮影手段に対して、旋回する表示手段の相対角度を検出するようにしているが、何が可変するかが問題ではなく、撮影光軸と表示手段の表示方向の状態変化が検出できる状態検出スイッチ、又は状態を決定するスイッチであれば問題ない。
【００３１】
例えば、撮影光軸がカメラ本体に対して可変であり、表示手段がカメラ本体に固定されている場合は、カメラ本体に固定されている表示手段に対して、旋回する撮影手段の相対角度を検出するようにすればいい。
【００３２】
またカメラに固定された撮影手段とともに表示方向の異なる複数ある表示手段を選択的用いる場合には、どの表示手段を使用するように決定したか検出することで撮影手段と表示手段の相対角度の状態を把握するようにすれば良い。
【００３３】
前記ランプ７は、撮影光軸ｌから表示部最遠部の距離Ｘより近いＹの位置に発光中心がある。
【００３４】
図３は本発明第一実施例で用いる電気ブロック図である。３０１は撮影手段で、撮影レンズ、撮影鏡筒駆動装置、シャッター駆動装置、絞り駆動装置、光電変換素子、モータなどを有しているが本発明では説明を割愛する。３０２は測距手段で被写体の測距情報を制御手段３０７に伝達する。３０３はメインスイッチ、３０４は測距を第一状態で、レリーズを第二状態で検出する一つのスイッチ、３０５は鏡筒撮影光軸と表示手段の相対角度を検出するためのスイッチであり、３０６はタイマー、３０７は制御手段、３０８は電源、３０９はＬＥＤなどの発光手段、３１０は記憶手段、３１１は画像情報を記録するためのメモリ、３１２は画像処理手段、３１３はデジタルアナログ変換装置、３１４は液晶などの表示手段である。
【００３５】
図４，図５は本出願第一実施例のシーケンスである。
【００３６】
図４において、メインスイッチがＯＮされると（４０１）、鏡筒の撮影光軸と表示手段の相対位置を検出する（４０２）。表示手段２の表示部２ａに、撮影手段を通して得られる記録前の被写体映像をモニタ表示させる（４０３）。制御手段がスイッチの受け付けを開始し（４０４）、スイッチの変化があるまで検出を続ける（４０５Ｎ）。スイッチの状態変化があった場合（４０５Ｙ）、メインスイッチの場合は（４０６Ｙ）、メインスイッチのＯＮだけ検出できる状態を維持したまま制御手段のスイッチ受付を終了し（４１１）、モニタ表示を消し（４１２）、シーケンスを終える。第一状態検出スイッチである測距スイッチが検出された場合は（ＯＦＦ→ＯＮ）、測距手段３０２で被写体の測距を行い（４０８）、被写体測距結果情報Ｌを記憶手段３１０に記憶して（４０９）、あらかじめ記憶手段に記憶させておいた距離情報Ａと比較する（４１０）。距離情報Ａは、前記撮影光軸ｌと被写体視線がなす相対角度θが問題になる被写体とカメラとの距離情報であり、測距情報ＬがＡを下回る場合は被写体が問題になる至近位置にあることになり図５Ａにつながる。逆に測距情報ＬがＡを以上場合は被写体が問題になる至近位置にないことになり図５Ｂにつながる。
【００３７】
図５において、撮影光軸の撮影方向と表示手段の表示方向が一致するようないわゆる自分撮り位置に、撮影手段と表示手段があると検出される場合（５０１Ｙ）、タイマー３０６で計時を開始し（５０２）、所定時間経過したか確認を行う（５０３）、あらかじめ記憶手段３１０に設定してある時間が経過した場合は（５０３Ｙ）、計時を終了し、表示手段に表示された撮影前の被写体映像を消し（５０５）、第二の状態検出スイッチであるレリーズスイッチの受け付けを開始する（５０６）。タイマーが所定時間に満たない場合でも（５０３Ｎ）、レリーズスイッチの受け付けを行う（５０６）。
【００３８】
レリーズスイッチのＯＮが検出されない場合（５０６  ＯＦＦ）、第一状態検出スイッチである測距スイッチの状態を再度確認し（５１３）、測距スイッチがＯＮの状態を維持されておれば（５１３  ＯＮ）、タイマーを読みにステップ５０３まで戻り、測距スイッチがＯＮからＯＦＦに変化していれば（５１３  ＯＮ→ＯＦＦ）、計時を終了し（５１４）、撮影前の被写体映像のモニタ表示がＯＦＦ状態であれば表示を再開し（５１５）、図４Ｃに飛び、スイッチの状態変化検出（４０５）を再開させる。
【００３９】
レリーズスイッチがＯＮされた場合（５０６ＯＮ）、タイマーによる計時を終了し（５０７）、ランプ３０９を発光させる（５０８）。その後、撮影手段により一旦シャッターを閉じて光電変換素子にたまった電荷を捨てて、適正露出に絞りを駆動した後、シャッターを適切な位置時間開放した後閉じて、光電変換手段にたまった電荷をアナログデジタル変換手段で画像情報に変換し（５０９）、さらに画像処理手段で画像処理を行い（５１０）、メモリに画像情報を記録する（５１１）。さらに記録した画像情報をデジタルアナログ変換機を用いて表示手段に所定時間表示し（５１２）、測距スイッチがＯＦＦするのを確かめた後（５１３  ＯＮ→ＯＦＦ）、スイッチの状態変化の検出を再開させる（図４Ｃ）。
【００４０】
図５Ｂにおいて、撮影光軸と表示手段があらかじめ決められた特定の関係に無い場合、例えば撮影光軸の撮影方向と表示手段の表示方向が一致するようないわゆる自分撮り位置に無い場合（５０１Ｎ）なども同じシーケンスになる。まず第二の状態検出スイッチであるレリーズスイッチの受け付けを開始する（５１６）。レリーズスイッチのＯＮが検出されない場合（５１６  ＯＦＦ）、第一状態検出スイッチである測距スイッチの状態を再度確認し（５２２）、測距スイッチがＯＮの状態を維持されておれば（５２２  ＯＮ）、再度レリーズスイッチを読みにステップ５１６まで戻り、測距スイッチがＯＮからＯＦＦに変化していれば（５２２  ＯＮ→ＯＦＦ）、図４Ｃに飛び、スイッチの状態変化検出（４０５）を再開させる。
【００４１】
レリーズスイッチがＯＮされた場合（５１６ＯＮ）、撮影手段により一旦シャッターを閉じて光電変換素子にたまった電荷を捨てて、適正露出に絞りを駆動した後、シャッターを適切な位置時間開放した後閉じて、光電変換手段にたまった電荷をアナログデジタル変換手段で画像情報に変換させるようないわゆる撮影動作を行い（５１７）、さらに画像処理手段で画像処理を行い（５１８）、メモリに画像情報を記録する（５１９）。
【００４２】
さらに記録した画像情報をデジタルアナログ変換機を用いて表示手段に所定時間表示し（５２０）、さらに撮影前の被写体映像のモニタ表示を再開させ（５２１）測距スイッチがＯＦＦするのを確かめた後（５２２  ＯＮ→ＯＦＦ）、スイッチの状態変化の検出を再開させる（図４Ｃ）。
【００４３】
以上のような第一実施例を実施することで、撮影手段の撮影光軸と表示手段との相対角度が、例えば自分撮りに適切な撮影方向と表示方向が揃うような特別な場合を撮影装置が検出可能になり、該特別な場合に適した表示手段の表示変化が可能になる。すなわちレリーズスイッチＯＮ前に、表示手段を適正な表示に切り替えることが出来る。よって従来からあるような、レリーズスイッチが押された直後に、表示手段から撮影前の被写体映像が消えることに起因する、被写体視線が表示手段に残ったままになることを防ぐことができる。
【００４４】
さらに従来からあるように、第二の状態検出手段であるレリーズスイッチが押された直後に表示手段を消して、所定時間後に撮影動作を行うとレリーズタイムラグが生じてしまう。しかしながら本発明の構成では第一の状態検出手段である測距スイッチに連動して表示手段を消すようにしてあり、レリーズタイムラグは起きない。
【００４５】
また測距スイッチＯＮ後の表示時間検出タイマー作動中もレリーズスイッチの受け付けを行っているため、レリーズまでに表示手段を消すことは出来ないもののレリーズタイムラグは起きない。
【００４６】
また測距スイッチ検出後、所定時間表示手段で撮影前の被写体映像を表示し続けるため、中央部重点測光や測距のカメラなのでＡＦロック、ＡＥロック後に構図を変更したい場合にも対応可能となる。
【００４７】
しかしながら、固定焦点カメラや固定露出カメラなどではＡＦロック、ＡＥロック機能が不要であり、またＡＦＡＥの機能にかかわらず、第一状態検出スイッチ検出後、タイマーを用いないですぐに表示手段の表示状態を変化させても全く構わない。
【００４８】
さらに表示手段の表示状態変化の起点となる第一状態と、レリーズ動作の起点となる第二状態を同一のスイッチで検出可能であるため、撮影者の使用が簡単で、第一状態をＯＦＦするだけで再度撮影前の被写体映像の表示が再開され表示構図のやり直しが極めて容易である。
【００４９】
また撮影手段の撮影光軸と表示手段の相対角度が特定の場合に、表示手段の表示変化後に、撮影光軸と表示手段最遠部との距離より撮影光軸に近い位置の発光手段であるランプを発光させるため、被写体の注意が表示手段からランプへ自然と移り、被写体の光軸からの視線のずれも緩和される。さらに撮影前に発光が開始されるランプは、赤目緩和や被写体が暗い場合の補助光としても役立つ。逆に言えば、既存の赤目緩和発光手段、補助光発光手段、ストロボ、などを本発明で用いる被写体の注目を引くためのランプとして代用しても構わない。
【００５０】
また本第一実施例では、第一状態検出を測距スイッチに割り当てて、表示手段の表示変化の起点となるスイッチと併用させていたが、表示手段の表示変化の起点を検出するのみの単独使用でも構わない。また第一状態検出を、表示手段の表示変化の起点となるスイッチと測光開始スイッチや、他の検出スイッチと併用させても構わない。
【００５１】
また、第一実施例では、表示手段を第一状態検出スイッチに連動させて、撮影前の被写体映像を表示する状態から消す状態に変化させた一例を開示した。しかしながら、本質は撮影前に被写体の注目を表示手段から撮影光軸に向かわせるところである。故に、例えば第一状態検出スイッチ前までは鮮明に撮影前被写体映像を表示させて、第一状態検出スイッチ後は解像度を極めて落として表示させるとか、撮影前被写体映像の輪郭だけ表示させるとか、撮影前被写体映像は残すが表示手段の照明を暗くするとか、撮影前被写体映像に代えて撮影光軸側を指す矢印の表示にするなど、表示手段を第一状態検出スイッチに連動させて、第一状態検出スイッチ検出前の撮影前被写体映像表示から、第一状態検出スイッチ検出後で表示の形、色、明るさ、を変えるものであれば問題ない。
【００５２】
図６は本出願第二の実施例を表した携帯電話の斜視図である。
【００５３】
図６（ａ）は、通話側正面斜視図、図６（ｂ）は背面斜視図である。図１と同一部品番号は同一機能を有することにする。８は携帯電話本体、２ｂは表示手段である液晶で構成された通話側固定表示部、２ｃは表示手段である液晶で構成された背面側固定表示部である。９は操作キーで、９ａはメインスイッチ、９ｂは表示切替スイッチであり、２ｃの背面表示を行うか行わないかで撮影手段３の撮影光軸ｌと表示手段の表示方向の相対角度を決めることができる。すなわち、２ｂのみを使用する場合は通常撮影と携帯電話に認識され、逆に２ｂと２ｃ両方使用を行う場合は、いわゆる自分撮り撮影と認識される。
【００５４】
また背面表示部２ｃの撮影光軸からの最遠部との距離Ｘよりも、撮影光軸から発光手段であるランプ中心までの距離Ｙは小さくなるようにランプは配置されている。１０はマイク、１１はスピーカーである。５は指の接触による抵抗値変化や静電容量の変化を検出できるタッチセンサーを第一状態検出に用いて、第二の状態をスイッチの押圧で検出するようにしたスイッチである。
【００５５】
電気回路に関しては、図３の制御手段に、マイクとスピーカーと通信手段が加わる。さらに鏡筒表示相対角検出スイッチは、９ｂの表示切替スイッチに変わるが、目的は撮影光軸と表示手段の相対角度を検出することであり同じである。
【００５６】
シーケンスに関しては、本出願の第二の実施例である携帯電話は、測距手段を有しておらず、測距スイッチは第一状態検出スイッチとなる。また常に所定ピントであるためステップ４０８から４１０が削除されるため、ステップ４０７の第一状態検出ＳＷがＯＮになると、図５の５０１に全て飛ぶ。
【００５７】
こうしてメモリに記録された撮影情報は、不図示の通信手段通して通信先に送付されることになる。本出願の第二実施例は電話通信機能も有するが、本発明は撮影機能を有した装置に重点があり本質からはずれるため通信機能のシーケンス説明は割愛する。
【００５８】
以上第二実施例のように、撮影手段と表示手段は本体に固定されているものの、撮影手段の撮影光軸と表示手段の角度を選択的に決定できる撮影装置においても、第一実施例が応用可能である。
【図面の簡単な説明】
【００５９】
【図１】本発明第一実施例の斜視図
【図２】従来の問題点の図
【図３】本実施例の電気ブロック図
【図４】本実施例のシーケンス
【図５】本実施例のシーケンス
【図６】本発明第二実施例の斜視図
【符号の説明】
【００６０】
１    カメラ本体
２    表示手段
３    撮影手段
４    メインスイッチ
５    第一状態第二状態を有したスイッチ
６    測距手段
７    発光手段
８    携帯電話本体
９    入力キー
１０  マイク
１１  スピーカー
【図１】
2007116601.tif 000003
【図２】
2007116601.tif 000004
【図３】
2007116601.tif 000005
【図４】
2007116601.tif 000006
【図５】
2007116601.tif 000007
【図６】
2007116601.tif 000008